(57)【要約】【課題】重心の鉛直上方の位置を直接吊り上げられないような重量物を、鉛直方向に対して傾くことなく低コストで簡単に揚重する。【解決手段】チェーンブロック５を使用して巻上機２を吊り上げるときに使用する揚重治具１であって、巻上機２の吊り点２ｂと第１のアイボルト３によって連結するための貫通孔１ｄが設けられた下端部１ａと、巻上機２の設置時における当該巻上機２の重心６を通る仮想上の鉛直線１２上に位置し、チェーンブロック５によって吊り上げられる第２のアイボルト４と連結されるねじ穴１ｅが設けられた上端部１ｂと、下端部１ａと上端部１ｂとを連結し、一体化する連結部材１ｃと、を備えた。【選択図】図１
2016033081.tif 000002
【特許請求の範囲】
【請求項１】
揚重装置を使用して揚重対象物を吊り上げるときに使用する揚重治具であって、
前記揚重対象物の吊り点と連結部材によって連結される第１の連結部が設けられた第１の部材と、
前記揚重対象物の設置時における当該揚重対象物の重心を通る仮想上の鉛直線上に位置し、前記揚重装置によって吊り上げられる吊り上げ部材と連結される第２の連結部が設けられた第２の部材と、
前記第１の部材と前記第２の部材とを連結し、一体化する第３の部材と、
を備えたことを特徴とする揚重治具。
【請求項２】
請求項１に記載の揚重治具であって、
前記第１の連結部と前記第２の連結部が水平方向に距離ｘ、垂直方向に距離ｈ、それぞれ離れ、
前記距離ｘは前記吊り点と前記鉛直線との距離であり、
前記距離ｈは、前記第２の部材が前記吊り点から垂直方向において前記揚重対象物と干渉しない距離であることを特徴とする揚重治具。
【請求項３】
請求項１又は２に記載の揚重治具であって、
前記揚重対象物がエレベーターの巻上機であることを特徴とする揚重治具。
【請求項４】
請求項１ないし３のいずれか１項に記載の揚重治具であって、
前記第１の連結部で前記吊り点と第１のアイボルトによって前記揚重対象物と連結し、
前記第２の連結部で前記吊り上げ部材である第２のアイボルトによって前記第２の部材と連結し、
前記第２のアイボルトを前記揚重装置により吊り上げることにより、前記揚重対象物を前記鉛直線に沿って吊り上げることを特徴とする揚重治具。
【請求項５】
請求項４に記載の揚重治具であって、
前記第１、第２及び第３の部材の間に、前記第１のアイボルト及び前記揚重対象物との干渉を防止する空間が設けられていることを特徴とする揚重治具。
【発明の詳細な説明】
【技術分野】
【０００１】
本発明は揚重治具に係り、さらに詳しくは、例えばエレベーターの巻上機のような重量物を揚重し、建屋頂部の機械室に設置する際に使用される揚重治具に関する。
【背景技術】
【０００２】
従来、重量物の揚重対象物を揚重する場合は、チェーンブロックなどの揚重装置を用いて揚重を行い、目的場所に揚重対象物を揚重して運搬していた。この場合、揚重対象物を設置した状態のとき、若しくは吊り上げ時に好適な状態のときの姿勢で、揚重対象物の重心を通る鉛直線上に吊り点が位置していることが望ましい。これは、揚重対象物を吊り上げたときに吊り点が前記鉛直線上に位置していれば、吊り上げたときに揚重対象物が傾くことがないからである。
【０００３】
しかし、揚重対象物はその形状が千差万別で、かつ、形状が複雑であり、形状の制約から前記状態で重心を通る鉛直線の上方の位置に吊り点を位置させることは難しい。揚重対象物の重心の鉛直線上の上方の位置で吊り上げることができない場合、吊り点と重心の水平方向の寸法差により、吊り点周りにモーメントが生じ、揚重対象物の重心と吊り点が重心を通る鉛直線上に位置するように揚重対象物が傾くことになる。このように傾くと、狭い空間への揚重が困難で、チェーンブロックなどの揚重装置のほかに、揚重対象物にあらかじめ取り付けたロープなどを用いて傾きを調整しながら揚重する必要があった。
【０００４】
そこで、このような傾きを調整しながら揚重する必要をなくすための揚重治具として、例えば、特開２００９−１２７４８９号公報（特許文献１）及び特開２０１３−８７５９５号公報（特許文献２）に記載された技術が公知である。
【０００５】
このうち、特許文献１には、揚重装置より延びる索条により揚重対象部材を吊り上げる方法であって、前記索条が夫々接続される一対の取り付け部を備える揚重用冶具を、平面視において、前記一対の取り付け部が前記揚重対象部材の重心を挟む位置に配置されるように前記揚重対象部材に取り付け、前記揚重用冶具に接続された前記索条により、前記揚重用冶具を介して前記揚重対象部材を吊り上げることを特徴とする揚重方法が記載されている。具体的には、揚重対象物の重心を挟む位置に配置されるようにシャックルとフックを揚重対象物に取り付け、揚重治具に接続されたチェーンブロックによりチェーンの長さを調節した後、揚重対象物を２点吊りで吊り上げる例が示されている。
【０００６】
また、特許文献２には、揚重機により外壁パネルを吊り上げるための外壁パネル吊り上げ具であって、前記外壁パネルの幅方向の一方の側面から当該幅方向に向かって形成された挿入孔に挿入されて前記外壁パネルを支持する支持片と、前記支持片に略平行に設けられ、前記揚重機のフックが引掛けられる引掛け部を有する引掛け片と、前記支持片と前記引掛け片を連結する連結片と、を有する、外壁パネル吊り上げ具が記載されている。
【先行技術文献】
【特許文献】
【０００７】
【特許文献１】特開２００９−１２７４８９号公報
【特許文献２】特開２０１３−８７５９５号公報
【発明の概要】
【発明が解決しようとする課題】
【０００８】
特許文献１記載の技術においては、シャックルと揚重治具のフックの位置が揚重対象物の重心を通る鉛直線を挟むように位置するため、揚重対象物が重心を通る鉛直線から大きく傾くことは防止できる。しかし、揚重にチェーンを使用しているため、チェーンブロックとの接続部で若干チェーンが引っ張られ、揚重対象物の鉛直方向の傾きを完全に防止することはできない。このため、揚重する場所が狭い場合、揚重対象物との隙間を確保することが困難となり、揚重対象物の鉛直方向の傾きを調整する作業が必要となっていた。
【０００９】
また、揚重治具で使用するチェーンブロックのほかに揚重対象物の鉛直方向の傾きを少なくするために、別のチェーンブロックやフックなどの部材を使用するため、部品点数が多くなり、コストも高いものとなっていた。さらに、揚重作業のほかに別のチェーンブロックの張力を調整する必要があり、作業性の悪いものとなっていた。加えて、揚重対象物の形状が鉛直方向に対して長手方向に伸びた形状では有効であるが、エレベーターの巻上機のような鉛直方向に対して直角方向に伸びた形状では、揚重治具の設置が困難であった。
【００１０】
他方、特許文献２記載の技術においては、外壁パネルに支持片を挿入するための挿入孔を開ける必要があり、揚重対象物本体に専用の加工が必要であった。このため、揚重対象物本体の加工費用が高くなっていた。さらに、揚重対象物の形状が鉛直方向に対して長手方向に伸びた形状では有効であるが、エレベーターの巻上機のような鉛直方向に対して直角方向に伸びた形状では、揚重治具の設置が困難であった。
【００１１】
そこで、本発明が解決しようとする課題は、所望の姿勢で吊り上げようとしたときに、当該所望の姿勢での重心の鉛直上方の位置を直接吊り上げられないような重量物を、鉛直方向に対して傾くことなく低コストで簡単に揚重できる揚重治具を提供することにある。
【課題を解決するための手段】
【００１２】
前記課題を解決するため、本発明は、前記揚重装置を使用して揚重対象物を吊り上げるときに使用する揚重治具であって、前記揚重対象物の吊り点と連結部材によって連結される第１の連結部が設けられた第１の部材と、前記揚重対象物の設置時における当該揚重対象物の重心を通る仮想上の鉛直線上に位置し、前記揚重装置によって吊り上げられる吊り上げ部材と連結される第２の連結部が設けられた第２の部材と、前記第１の部材と前記第２の部材とを連結し、一体化する第３の部材と、を備えたことを特徴とする。なお、前記以外の課題、構成及び効果は、以下の実施形態の説明によって明らかにされる。
【発明の効果】
【００１３】
本発明によれば、重心の鉛直上方の位置を直接吊り上げられないような重量物を、鉛直方向に対して傾くことなく低コストで簡単に揚重することができる。
【図面の簡単な説明】
【００１４】
【図１】本発明の実施形態に係る揚重治具を用いて重量物としての巻上機を吊り上げた状態を示す図である。
【図２】図１の揚重治具を拡大して示す図である。
【図３】揚重治具の他の例を示す図である。
【発明を実施するための形態】
【００１５】
以下、図面を参照し、本発明の実施形態について説明する。
【００１６】
図１は本発明の実施形態に係る揚重治具を用いて重量物としての巻上機を吊り上げた状態を示す図で、同図（ａ）は正面図、同図（ｂ）は左側面図である。また、図２は図１の揚重治具を拡大して示す図で、同図(ａ)は正面図、同図（ｂ）は左側面図である。
【００１７】
図２に示すように揚重治具１は、下端部（第１の部材）１ａ、上端部１ｂ（第２の部材）及び連結部材（第３の部材）１ｃからなるチャンネル型（略コの宇型を）している。連結部材１ｃは下端部１ａと上端部１ｂを連結する部材であり、これら三者を一体化し、重量物を吊り上げるに足る十分な強度を持っている。
【００１８】
揚重治具１の下端部１ａには、揚重治具１を巻上機２の本体外周部２ａと連結するための貫通孔（第１の連結部）１ｄが設けられている。そして、この貫通孔１ｄに第１のアイボルト３を挿入し、揚重治具１の下端部１ａを貫通させて、巻上機２の本体外周部２ａに形成された取り付け穴（不図示：吊り点２ｂ）に取り付け（ねじ込み）、揚重治具１を巻上機２に固定することができる。
【００１９】
一方、揚重治具１の上端部１ｂには第２のアイボルト４を取り付けるねじ穴（第２の連結部）１ｅが設けられている。このねじ穴１ｅには、第２のアイボルト（吊り上げ部材）４がねじ込まれ、揚重治具１の上端部１ｂに取り付けられる。そして、この第２のアイボルト４の円環部分に、チェーンブロック５のフック５ａを挿入し、チェーンブロック５を巻き上げることにより、巻上機２を揚重方向８へ揚重することができる。
【００２０】
巻上機２は、ロープが巻回されるドラム１１と一体に回転するディスク９を備えている。ディスク９は、このディスク９を挟圧してブレーキを掛けるディスクブレーキのディスクである。本実施形態では、ディスク９の回転中心がこの巻上機２の重心６となっている。
【００２１】
図において、符号１２は設置時の姿勢で巻上機２の重心６を通る鉛直線（仮想線）であり、本実施形態では、揚重治具１の上端部１ｂに形成されたねじ穴１ｅの中心が、この鉛直線１２を通るように設定されている。設置時には、ディスク９面は鉛直方向を向いているので、この鉛直線１２に平行にディスク９面を位置させれば、巻上機２を吊り上げるときに巻上機２が傾くことはない。そのため、ねじ穴１ｅに取り付けた第２のアイボルト４を介して巻上機２を吊り上げても、ディスク９面は鉛直方向を向いたままなので、巻上機２が傾くことはない。
【００２２】
一方、貫通孔１ｄは、鉛直線１２から水平方向に距離ｘだけ離れ、前記下端部１ａの下端１ａ’と、前記上端部１ｂの下端１ｂ’間は垂直方向に距離ｈだけ離れている。水平距離ｘは、巻上機２の吊り上げに適した位置に設けられた本体外周部２ａの取り付け穴の鉛直線１２からの距離である。また、垂直距離ｈは、揚重治具１の上端部１ｂの下端１ｂ’がディスク９の最外周をクリアできるだけの距離であり、本体外周部２ａの上端面（揚重治具１の下端部１ａの下端１ａ’）から揚重治具１の上端部１ｂの下端１ｂ’までの距離である。この水平距離ｘ、第１のアイボルト３の大きさ及びディスク９の下端部１ａからの突出量を勘案して、これらと干渉しないように下端部１ａ、上端部１ｂ及び連結部１ｃで形成される空間１ｆの大きさが設定されている。
【００２３】
この揚重治具１を用いて巻上機２を吊り上げるときには、まず、図２に示した揚重治具１を貫通孔１ｄに第１のアイボルト３を通して巻上機２の本体外周部２ａに連結し、固定する。その際、揚重治具１の上端部１ｂに形成されたねじ穴１ｅの中心が、この鉛直線１２を通るように調整し、その後、第１のアイボルト３を締め付けて固定する。揚重治具１は、このようにして巻上機２に取り付ける。
【００２４】
なお、吊り上げ対象物が巻上機２でない場合も同様で、当該対象物に揚重治具１を取り付けるときに、揚重治具１の上端部１ｂに形成されたねじ穴１ｅの中心が、その対象物の重心を通る線上に位置するように調整する。なお、前述のように水平距離ｘ及び垂直距離ｈは、吊り上げ対象物によってそれぞれことなるので、揚重治具１は、吊り上げ対象物に応じて適宜製作され、あるいは用意される。
【００２５】
このように揚重治具１を構成し、巻上機２に取り付けると、揚重する場合、揚重治具１に取り付けた第２のアイボルト４の軸線は、鉛直線１２と一致する。そのため、第２のアイボルト４をチェーンブロック５によって吊り上げるときに、巻上機２は、重心６を通る鉛直線１２が第２のアイボルト４の軸線と一致した状態を保持したまま巻上機２を吊り上げることが可能となる。この状態では、ディスク９及び巻上機２の本体端面が鉛直方向から傾くことはないので、すなわち、鉛直線１２に対して傾くことがないので、機械室床７にある比較的狭い開口部７ａを通過させる場合においても、巻上機２が開口部７ａと干渉することがなく揚重することが可能となる。
【００２６】
図３は、揚重治具の他の例を示す図で、同図(ａ)は揚重治具の正面図、同図（ｂ）は左側面図である。
【００２７】
図３に示した揚重治具１は、図２に示した例とは連結部１ｃの位置が異なる例である。図２に示した例では、図２（ａ）において、正面視背面側に連結部１ｃが設けられているのに対し、図３（ａ）では、正面視側面側に連結部１ｃが設けられている。その他の各部、及び各部の寸法関係は図２に示した例と同様である。すなわち、揚重治具１は図３に示すように揚重治具１の下端部１ａの位置と揚重治具１の下端部１ａから水平距離ｘ離れた巻上機２の重心６の鉛直線１２上にある揚重治具１の上端部１ｂの位置が同一の寸法であれば、連結部１ｃの形成位置は任意であり、図２に示したように略コの字型でなくてもよい。
【００２８】
このように揚重治具１は、巻上機（揚重対象物）２の本体部の吊り部２ｂ（第１のアイボルト３の取付位置）が当該巻上機２を設置したときの重心を通る鉛直線１２上にない場合に、第２のアイボルト４の軸線が鉛直線１２上に位置するように水平距離ｘを設定し、また、巻上機２のディスク９の上端（揚重対象物の構成部材の上端）が干渉しない距離に垂直距離ｈを設定しているので、第２のアイボルト４にフック５ａを掛けて吊り上げたときに、巻上機（揚重対象物）２が傾くことなく当該鉛直線１２に沿って吊り上げることができる。その際、巻上機（揚重対象物）２自体の吊り点２ｂを変更し、あるいは、他の位置に吊り点２ｂを設ける必要がないので、巻上機（揚重対象物）２本体への加工が不要で、簡便な構成の揚重治具１で鉛直方向の傾きを防止することができる。
【００２９】
これにより、安価な簡便な構成の揚重治具１を使用して比較的狭い開口部７ａから機械室へ巻上機２を揚重することが可能となる。巻上機２以外の揚重対象物の場合においても、比較的狭い開口部７ａを通って所定の設置箇所に容易に揚重し、設置することができる。
【００３０】
以上のように、本実施形態によれば、次のような効果を奏する。なお、実施形態における効果の説明では、本実施形態の各部について、特許請求の範囲における各構成要素をかっこ書きで示し、若しくは参照符号を付し、両者の対応関係を明確にした。
【００３１】
（１）チェーンブロック（揚重装置）５を使用して巻上機（揚重対象物）２を吊り上げるときに使用する揚重治具１であって、巻上機２の吊り点２ｂと第１のアイボルト（連結部材）３によって連結するための貫通孔（第１の連結部）１ｄが設けられた下端部（第１の部材）１ａと、巻上機２の設置時における当該巻上機２の重心６を通る仮想上の鉛直線１２上に位置し、チェーンブロック（揚重装置）５によって吊り上げられる第２のアイボルト（吊り上げ部材）４と連結されるねじ穴（第２の連結部）１ｅが設けられた上端部（第２の部材）１ｂと、下端部（第１の部材）１ａと上端部（第２の部材）１ｂとを連結し、一体化する連結部材（第３の部材）１ｃと、を備えたので、巻上機２に予め設けられた吊り点２ｂと重心６を通る鉛直線１２とが離れたエレベーターの巻上機２のような複雑な形状の揚重対象物でも、鉛直方向（鉛直線１２）に対して傾くことなく低コストで簡単に揚重することができる。
【００３２】
その際、揚重治具１に巻上機２側の貫通孔（第１の連結部）１ｄと、チェーンブロック５側のねじ穴（第２の連結部）１ｅを形成し、２つの連結部１ｄ，１ｅを使用して巻上機２を吊り上げるので、巻上機２などの揚重対象物本体へのねじ穴（連結部）などの加工が不要で、簡便な安価な構成の揚重治具１を提供することができる。      
【００３３】
また、吊り上げて所定の設置箇所、例えばエレベーターの機械室に搬入する際に、鉛直方向に傾くことがないので、比較的狭い開口部７ａから機械室への揚重が可能となる。
【００３４】
（２）貫通孔（第１の連結部）１ｄとねじ穴（第２の連結部）１ｅが水平方向に距離ｘ、垂直方向に距離ｈ、それぞれ離れ、距離ｘは吊り点２ｂと鉛直線１２との距離であり、距離ｈは、上端部（第２の部材）１ｂが吊り点２ｂから垂直方向において巻上機（揚重対象物）２と干渉しない距離であるので、距離ｘ，ｈを揚重対象物の形状に応じて適宜設定して揚重治具１を製作若しくは用意することができる。揚重治具１は、前記設定だけで、多種にわたって揚重対象物に合わせて用意することが可能なので、揚重対象物の形状にかかわらず、安価に揚重作業を行うことができる。
【００３５】
（３）揚重対象物がエレベーターの巻上機２である場合には、巻上機２の設置作業を低コストで簡便に行うことができる。なお、巻上機２を取り外す際は、同様に揚重治具１を取り付け、巻上機２が傾かないようにして比較的狭い開口部７ａを容易に通過させて撤去することができる。
【００３６】
（４）貫通孔（第１の連結部）１ｄでは吊り点２ａと第１のアイボルト３によって巻上機（揚重対象物）２と連結し、ねじ穴（第２の連結部）１ｅでは吊り上げ部材である第２のアイボルト４によって上端部（第２の部材）１ｂと連結し、第２のアイボルト４をチェーンブロック５（揚重装置）によって吊り上げることにより、巻上機（揚重対象物）２を鉛直線１２に沿って吊り上げるので、アイボルトという簡単な構成のねじ部材を使用して揚重作業を行うことができる。
【００３７】
（５）下端部（第１の部材）１ａ、上端部（第２の部材）１ｂ及び連結部材（第３の部材）１ｃの間に、第１のアイボルト３及び巻上機（揚重対象物）２との干渉を防止する空間１ｆが設けられているので、揚重作業時に前記部材の干渉が原因となる作業障害や巻上機（揚重対象物）２への加傷などが発生するおそれはなく、円滑に揚重作業を行うことができる。
【００３８】
なお、本発明は前述した実施形態に限定されず、本発明の要旨を逸脱しない範囲で種々の変形が可能であり、特許請求の範囲に記載された技術思想に含まれる技術的事項の全てが本発明の対象となる。前記実施形態は、好適な例を示したものであるが、当業者ならば、本明細書に開示の内容から、各種の代替例、修正例、変形例あるいは改良例を実現することができ、これらは添付の特許請求の範囲に記載された技術的範囲に含まれる。
【符号の説明】
【００３９】
１  揚重治具
１ａ  下端部（第１の部材）
１ｂ  上端部（第２の部材）
１ｃ  連結部材（第３の部材）
１ｄ  貫通孔（第１の連結部）
１ｅ  ねじ穴（第２の連結部）
１ｆ  空間
２  巻上機（揚重対象物）
２ｂ  吊り点
３  第１のアイボルト（連結部材）
４  第２のアイボルト（吊り上げ部材）
５  チェーンブロック（揚重装置）
６  重心
７ａ  開口部
１２  鉛直線
ｘ  水平距離
ｈ  垂直距離
【図１】
2016033081.tif 000003
【図２】
2016033081.tif 000004
【図３】
2016033081.tif 000005